(57)【要約】【化１】2006513279.tif 000015  （Ａ−１）少なくとも１種の一般式Ｙ−ＮＲ１−Ｃ（Ｖ）−ＮＨＲ２（式中の置換基は下記の意味を有する：Ｙはラジカル重合性のエチレン性不飽和基であり；ＶはＯ、Ｓ又はＮＨであり；Ｒ１、Ｒ２は独立して、Ｈ若しくはＣ１−Ｃ８−アルキル基、又は一緒になって、２個までのＣ１−Ｃ４−アルコキシ基及び／又はヒドロキシル基で置換されていてもよい橋架けＣ２−Ｃ４−アルキレン基である）のエチレン性不飽和のフリーラジカル共重合可能なモノマー；と、（Ａ−２）少なくとも１種の一般式Ｘ−Ｃ（Ｏ）ＣＲ７＝ＣＨＲ６（式中の置換基は下記の意味を有する：Ｘは基−ＯＨ、−ＯＲ８、ＮＨ２、−ＮＨＲ８、Ｎ（Ｒ８）２の群から選択され；基Ｒ８は同一でも異なってもよく、−Ｈ、Ｃ１−Ｃ４０直鎖若しくは分枝アルキル基、Ｎ，Ｎ−ジメチルアミノエチル、２−ヒドロキシエチル、２−メトキシエチル、２−エトキシエチル、ヒドロキシプロピル、メトキシプロピル又はエトキシプロピルからなる群から選択され；Ｒ７及びＲ６は独立して、−Ｈ、Ｃ１−Ｃ８直鎖若しくは分枝アルキル基、メトキシ、エトキシ、２−ヒドロキシエトキシ、２−メトキシエトキシ及び２−エトキシエチルからなる群から選択される）の不飽和モノマー；とのコポリマー（Ａ）、（Ｂ−１）少なくとも１種の一般式（ＩＩＩ）のモノマー（式中、Ｒ９はＨ、１〜８個のＣ原子を有するアルキルであり、Ｒ１０はＨ、メチルであり、Ｒ１１は場合によりＣ１−Ｃ６−アルキルで置換された１〜２４個のＣ原子を有するアルキレンであり、Ｒ１２、Ｒ１３はＣ１−Ｃ４０−アルキル基であり、Ｚはｘ＝１のときは窒素であるか又はｘ＝０のときは酸素である）；と、（Ｂ−２）少なくとも１種エチレン性不飽和モノマー；との少なくとも１種の他のコポリマー（Ｂ）（（Ａ）とは異なる）を含む組成物が開示されている。
2006513279.tif 000002
【特許請求の範囲】
【請求項１】
（Ａ−１）少なくとも１種の式（Ｉ）：
Ｙ−ＮＲ１−Ｃ（Ｖ）−ＮＨＲ２                （Ｉ）
（式中の置換基は下記の意味を有する：
Ｙはフリーラジカル重合が可能であるエチレン性不飽和基であり、
ＶはＯ、Ｓ又はＮＨであり
Ｒ１、Ｒ２は互いに独立して、Ｈ若しくはＣ１−Ｃ８−アルキル基、又は両者が一緒になって、２個までのＣ１−Ｃ４−アルコキシ基及び／又はヒドロキシル基で置換されていてもよい橋架けＣ２−Ｃ４−アルキレン基である。）
のエチレン性不飽和のフリーラジカル共重合可能なモノマー；
と、
（Ａ−２）少なくとも１種の式（ＩＩ）：
Ｘ−Ｃ（Ｏ）ＣＲ７＝ＣＨＲ６                （ＩＩ）
（式中の置換基は下記の意味を有する：
Ｘは基−ＯＨ、−ＯＲ８、ＮＨ２、−ＮＨＲ８、Ｎ（Ｒ８）２の群から選択され；
基Ｒ８は同一でも異なってもよく、−Ｈ、Ｃ１−Ｃ４０直鎖若しくは分枝アルキル基、Ｎ，Ｎ−ジメチルアミノエチル、２−ヒドロキシエチル、２−メトキシエチル、２−エトキシエチル、ヒドロキシプロピル、メトキシプロピル又はエトキシプロピルからなる群から選択され；
Ｒ７及びＲ６は互いに独立して、−Ｈ、Ｃ１−Ｃ８直鎖若しくは分枝アルキル基、メトキシ、エトキシ、２−ヒドロキシエトキシ、２−メトキシエトキシ及び２−エトキシエチルからなる群から選択される。）
の不飽和モノマー；
とのコポリマー（Ａ）
及び、
（Ｂ−１）少なくとも１種の式（ＩＩＩ）：
【化１】
2006513279.tif 000011
（式中、
Ｒ９はＨ、１〜８個の炭素原子を有するアルキルであり、
Ｒ１０はＨ、メチルであり、
Ｒ１１は場合によりＣ１−Ｃ６−アルキルで置換された１〜２４個の炭素原子を有するアルキレンであり、
Ｒ１２、Ｒ１３はＣ１−Ｃ４０−アルキル基であり、
Ｚは、ｘ＝１のときは窒素であるか又はｘ＝０のときは酸素である。）
のモノマー；
と、
（Ｂ−２）少なくとも１種エチレン性不飽和モノマー；
との、（Ａ）とは異なる少なくとも１種の他のコポリマー（Ｂ）
を含む組成物。
【請求項２】
少なくとも１種のモノマー（Ａ−１）及び少なくとも２種のモノマー（Ａ−２）のコポリマーとをコポリマー（Ａ）として用いる、請求項１に記載の組成物。
【請求項３】
下記式（Ｉａ）：
【化２】
2006513279.tif 000012
（式中、Ａは場合によりカルボニル基を有する２員又は３員のアルキレン基である）
の化合物をモノマー（Ａ−１）として用いる、請求項１に記載の組成物。
【請求項４】
下記式（Ｉｂ）：
【化３】
2006513279.tif 000013
（式中、Ｒ３及びＲ４は互いに独立して、Ｈ、−ＯＨ、−ＮＨ、Ｃ１−Ｃ８−アルキルである）
の化合物をモノマー（Ａ−１）として用いる、請求項１に記載の組成物。
【請求項５】
Ｒ３及びＲ４＝Ｈである、請求項４に記載の組成物。
【請求項６】
Ｖ＝Ｏである化合物をモノマー（Ａ−１）として用いる、請求項１〜５のいずれかに記載の組成物。
【請求項７】
Ｒ３及びＲ４＝Ｈであり、そしてＶ＝Ｏであり、そしてＹ＝  ＣＨ２＝Ｃ（ＣＨ３）−ＣＯ−Ｏ−（ＣＨ２）２−である式（Ｉｂ）の化合物をモノマー（Ａ−１）として用いる、請求項１〜６のいずれかに記載の組成物。
【請求項８】
フリーラジカル重合が可能であるエチレン性不飽和基Ｙが、式（ＩＶ）の基
Ｙ＝  ＣＨ２＝ＣＲ５−ＣＯ−Ｗ−（ＣＨ２）ｎ−        （ＩＶ）
（式中、
Ｒ５はＨ、ＣＨ３であり、
ＷはＯ、ＮＨであり、
ｎは２〜８、特に２〜４である）
である、請求項１〜７のいずれかに記載の組成物。
【請求項９】
Ｎ，Ｎ−ジメチルアミノメチル（メタ）アクリレート、Ｎ，Ｎ−ジエチルアミノメチル（メタ）アクリレート、Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジエチルアミノプロピル（メタ）アクリレートからなる群から選択される少なくとも１種のモノマーをモノマー（Ｂ−１）として用いる、請求項１〜８のいずれかに記載の組成物。
【請求項１０】
Ｎ，Ｎ−ジメチルアミノプロピル（メタ）アクリレートをモノマー（Ｂ−１）として用いる、請求項１〜９のいずれかに記載の組成物。
【請求項１１】
ウレイドメタクリレート（Ａ−１）と、ｎ−ブチルアクリレート、アクリル酸及びステアリルメタクリレートからなる群から選択される少なくとも２種の他のモノマー（Ａ−２）とのコポリマーをコポリマー（Ａ）として用いる、請求項１〜１０のいずれかに記載の組成物。
【請求項１２】
（Ｂ−１）Ｎ，Ｎ−ジメチルアミノプロピル（メタ）アクリレートと、ｎ−ブチルアクリレート及びウレイドメタクリレートからなる群から選択される少なくとも１種の他のモノマーとのコポリマーをコポリマー（Ｂ）として用いる、請求項１〜１１のいずれかに記載の組成物。
【請求項１３】
コポリマー（Ａ）とコポリマー（Ｂ）との（モル）比が１：１０〜１０：１の範囲、特に１：５〜５：１の範囲にある、請求項１〜１２のいずれかに記載の組成物。
【請求項１４】
請求項１〜１３のいずれかに記載の組成物の増粘剤としての使用。
【請求項１５】
請求項１〜１４のいずれかに記載の組成物のコンディショニング剤としての使用。
【請求項１６】
請求項１〜１５のいずれかに記載の組成物の化粧料における使用。
【請求項１７】
（Ｂ−１）少なくとも１種の式（ＩＩＩ）：
【化４】
2006513279.tif 000014
（式中、
Ｒ９はＨ、１〜８個の炭素原子を有するアルキルであり、
Ｒ１０はＨ、メチルであり、
Ｒ１１は場合によりＣ１−Ｃ６−アルキルで置換された１〜２４個の炭素原子を有するアルキレンであり、
Ｒ１２、Ｒ１３はＣ１−Ｃ４０−アルキル基であり、
Ｚはｘ＝１のときは窒素であるか又はｘ＝０のときは酸素である）
のモノマー；
と、
（Ｂ−２）少なくとも１種のエチレン性不飽和モノマー；
とのコポリマー（Ｂ）。
【請求項１８】
請求項１７に記載のコポリマー（Ｂ）の化粧料における使用。
【請求項１９】
請求項１７に記載のコポリマー（Ｂ）の増粘剤としての使用。
【請求項２０】
化粧料の増粘方法であって、１〜３０重量％、特に５〜２５重量％、好ましくは８〜２０重量％の請求項１に記載の組成物を増粘すべき化粧料に添加する前記方法。
【発明の詳細な説明】
【技術分野】
【０００１】
本発明は、少なくとも１種のコポリマー（Ａ）及び少なくとも１種のコポリマー（Ｂ）を含む組成物、並びに化粧料におけるその使用に関する。
【背景技術】
【０００２】
化粧料、特にオイル、クリーム又はローションに基づくものにとって、皮膚上での良好な感触、水の結合能及び吸収、稠度並びに浸透力のような特性は決定的なパラメーターである。これらの特性は、機械的な力の作用下の物理的挙動により影響を受ける。化粧料の流動学的プロフィールは上記特性にとって極めて重要である。
【０００３】
流動学的プロフィールに影響を与えるために、例えば、水不溶性高分子増粘剤が化粧料に添加される。公知の増粘添加物の例は、脂肪アルコールエトキシル化物、脂肪酸アルキロールアミド、エトキシル化したグルコースエステル、エトキシル化した部分グリセリド又は塩化ナトリウムである。しかしながら、多すぎる塩化ナトリウムは脂肪アルコールエーテルスルフェートに基づく製剤において反対の効果を有し、その生成物は粘度がますます低くなり、極端な場合には相分離が生じる。
【０００４】
別の増粘方法は、界面活性剤混合物の粘度上昇効果を利用することである。アルキルベタイン及びアルキルポリグリコシドは、少量の添加で、脂肪アルコールエーテルスルフェートに基づく製剤を増粘する。
【０００５】
例えば、チューブからの使用に適するゲル特性を有する偽塑性生成物は、高分子ゲル形成剤、例えばポリアクリル酸、キサンタン又はヒドロキシプロピルメチルセルロースの添加により得られる。
【０００６】
ＥＰ  ０  ８２４  ９１４  Ｂ１は、高分子レオロジー改変剤を含む増粘したボディーケア組成物を記載している。
【０００７】
ＷＯ  ９７／３６５７２は、少なくとも１種のシリコーン油及び増粘剤を含む化粧料であって、該増粘剤がシリコーン基及び他の官能基として例えば尿素基を含有するポリマーであるものを記載している。
【０００８】
本発明の目的は、増粘剤として、特に化粧料における増粘剤として適する新規ポリマーを提供することである。特に興味深いものは、油相を含む化粧料であった。
【０００９】
ＤＥ  ３４  ４３  ９６４  Ａ１及びＤＥ  ３９  ０２  １０３  Ａ１は、多相エマルジョンポリマーからなる水性光沢ペイントのための結合剤を記載している。これらは硬質コア材料及び軟質外殻材料からなる。ウレイド基を有するモノマーは外殻材料の組成に関与することができる。
【００１０】
ＤＥ  ３９  ０２  ５５５  Ａ１は、１０重量％までの重合性ウレイド化合物、例えば、Ｎ−メタクリルアミドメチレン尿素、Ｎ−（２−メタクリロイルオキシエチル）エチレン尿素、及びＮ−ビニルイミダゾールなどを含有し得る、プラスチック表面を塗装するための水性ポリアクリレート系を記載している。
【００１１】
ＤＥ  ３９  ０２  ０６７  Ａ１は、ウレイド基を有するフリーラジカル重合性モノマーを含有し得るエマルジョンポリマーを含む、フィルム形成性の自己架橋性水性プラスチック分散液を記載している。これらの分散液はプラスチック表面の塗装に用いられる。
【００１２】
ＤＥ  ４３  ３４  １７８  Ａ１（= EP 722 477 A1、WO 95/09896 A1）は、ウレイド基を有するポリマー、及びポリアルデヒド化合物を含む水性ポリマー調製物を記載している。これらの調製物は基板（支持体）との増大した接着力、そしてまた増大した内部強度を有する塗膜の製造に用いられる。
【００１３】
ＤＥ  １００  ４１  ６８０  Ａ１は、モノマーとして５重量％までの尿素誘導体、例えば、Ｎ−（２−メタクリルオキシエチル）エチレン尿素又はＮ−（２−メタクリルオキシエチル）チオ尿素などを含み得る水性ポリマー分散液を記載している。これらの分散液は塗料組成物の結合剤として適しており、そして塗膜の高い光沢及び高い不粘着性を保証する。
【００１４】
ＵＳ  ３，６４５，９６５は、イミダゾリジン−４−オンを混合した結果として、増大した光及び熱安定性を有する合成ポリマーを記載している。
【００１５】
ＵＳ  ３，８７６，６５７は、１−置換イミダゾリジン−２−オンの製造、並びにポリマー及びコポリマーのためのモノマーとしてのこれらの化合物の使用を記載している。
【００１６】
ＵＳ  ５，８５２，１２３は、尿素又はイミド基を含むグラフトポリマー、及び顔料を分散するためのこれらのグラフトポリマーの使用を記載している。これらのポリマーは、２〜９７重量％のエチレン性不飽和モノマーのポリマーの幹、９７〜２重量％の該幹に末端エチレン性不飽和基を介してグラフトしたマクロマー、及び少なくとも１重量％のイミド基及び／又は尿素基を含有する分散剤からなる。
【００１７】
ＵＳ  ５，９７２，４３１は、表面張力を低下するために環状尿素誘導体を含む塗料組成物、インキ及び農薬組成物のための水性調製物を記載している。
【００１８】
ＥＰ  ０  １２４  ７１３  Ｂ１は、イミダゾリジノンモノマー、そしてまた、これらのモノマー及びエチレン性不飽和モノマーのポリマー、そしてまた、不織布のためのホルムアルデヒド不含の結合剤としてのこれらのポリマーの使用を記載している。
【００１９】
ＥＰ  ０  ６０９  ７９３  Ａ２は、フィルム形成性水性ポリマー分散液及び架橋成分を含む水生結合剤を記載している。このポリマー分散液は、側鎖アルキレン尿素基を有するエチレン性不飽和のフリーラジカル重合性モノマーの重合した単位とのエマルジョンポリマーである。この架橋成分は多官能性アルデヒドからなる。
【００２０】
ＥＰ  １  ０００  ６１０  Ａ１（DE 19850363）は、エチレン尿素の誘導体が結合したポリマーの化粧品における使用及び毛髪セッティングポリマーとしての使用を記載している。
【００２１】
本発明は、（Ａ−１）少なくとも１種の式（Ｉ）：
Ｙ−ＮＲ１−Ｃ（Ｖ）−ＮＨＲ２                （Ｉ）
（式中の置換基は下記の意味を有する：
Ｙはフリーラジカル重合が可能であるエチレン性不飽和基であり、
ＶはＯ、Ｓ又はＮＨであり
Ｒ１、Ｒ２は互いに独立して、Ｈ若しくはＣ１−Ｃ８−アルキル基、又は両者が一緒になって、２個までのＣ１−Ｃ４−アルコキシ基及び／又はヒドロキシル基で置換されていてもよい橋架けＣ２−Ｃ４−アルキレン基である。）
のエチレン性不飽和のフリーラジカル共重合可能(ethylenically unsubstituted, free-radically copolymerizable)なモノマー；
と、
（Ａ−２）少なくとも１種の式（ＩＩ）：
Ｘ−Ｃ（Ｏ）ＣＲ７＝ＣＨＲ６                （ＩＩ）
（式中の置換基は下記の意味を有する：
Ｘは基−ＯＨ、−ＯＲ８、ＮＨ２、−ＮＨＲ８、Ｎ（Ｒ８）２の群から選択され；
基Ｒ８は同一でも異なってもよく、−Ｈ、Ｃ１−Ｃ４０直鎖若しくは分枝アルキル基、Ｎ，Ｎ−ジメチルアミノエチル、２−ヒドロキシエチル、２−メトキシエチル、２−エトキシエチル、ヒドロキシプロピル、メトキシプロピル又はエトキシプロピルからなる群から選択され；
Ｒ７及びＲ６は互いに独立して、−Ｈ、Ｃ１−Ｃ８直鎖若しくは分枝アルキル基、メトキシ、エトキシ、２−ヒドロキシエトキシ、２−メトキシエトキシ及び２−エトキシエチルからなる群から選択される。）
の不飽和モノマー；
とのコポリマー（Ａ）
及び、
（Ｂ−１）少なくとも１種の式（ＩＩＩ）：
【化１】
2006513279.tif 000003
【００２２】
（式中、
Ｒ９はＨ、１〜８個の炭素原子を有するアルキルであり、
Ｒ１０はＨ、メチルであり、
Ｒ１１は場合によりＣ１−Ｃ６−アルキルで置換された１〜２４個の炭素原子を有するアルキレンであり、
Ｒ１２、Ｒ１３はＣ１−Ｃ４０−アルキル基であり、
Ｚは、ｘ＝１のときは窒素であるか又はｘ＝０のときは酸素である。）
のモノマー；
と、
（Ｂ−２）少なくとも１種エチレン性不飽和モノマー；
との、（Ａ）とは異なる少なくとも１種の他のコポリマー（Ｂ）
を含む組成物を提供する。
【００２３】
モノマー（Ａ−１）として好適なものは、特に、Ｖ＝Ｏである化合物、いわゆるウレイド（ureido）化合物である。
【００２４】
モノマー（Ａ−１）として好適なものは、Ｖ＝Ｓである化合物、いわゆるチオウレイド化合物である。
【００２５】
モノマー（Ａ−１）として好適なものは、Ｖ＝ＮＨである化合物、いわゆるグアニジノ化合物である。
【００２６】
好ましい実施形態において、少なくとも１種の式（Ｉａ）の化合物
【化２】
2006513279.tif 000004
【００２７】
（式中、Ａは場合によりカルボニル基を有する２員又は３員のアルキレン基である）がモノマー（Ａ−１）として用いられる。
【００２８】
Ａが置換されていない２員のアルキレン基である式（Ｉａ）の化合物が特に好ましい。
【００２９】
Ｖ＝Ｏである式（Ｉａ）の化合物が特に好ましい。
【００３０】
好ましい実施形態において、Ｒ１及びＲ２は一緒になって、場合により置換された架橋Ｃ２アルキレン基を形成する。
【００３１】
Ａが置換されていない２員のアルキレン基であり、そしてＶ＝Ｏである式（Ｉａ）の化合物が特に好ましい。
【００３２】
好ましい実施形態において、少なくとも１種の式（Ｉｂ）の化合物
【化３】
2006513279.tif 000005
【００３３】
（式中、Ｒ３及びＲ４は互いに独立して、Ｈ、−ＯＨ、−ＮＨ、Ｃ１−Ｃ８−アルキルである）がモノマー（Ａ−１）として用いられる。
【００３４】
Ｖ＝Ｏである式（Ｉｂ）の化合物が特に好ましい。
【００３５】
Ｒ３及びＲ４＝Ｈである式（Ｉｂ）の化合物が特に好ましい。
【００３６】
Ｖ＝Ｏであり、Ｒ３及びＲ４＝Ｈであり、そしてＹ＝ＣＨ２＝Ｃ（ＣＨ３）−ＣＯ−Ｏ−（ＣＨ２）２−である式（Ｉｂ）の化合物が特に好ましい。
【００３７】
Ｖ＝Ｓであり、Ｒ３及びＲ４＝Ｈであり、そしてＹ＝ＣＨ２＝Ｃ（ＣＨ３）−ＣＯ−Ｏ−（ＣＨ２）２−である式（Ｉｂ）の化合物が特に好ましい。
【００３８】
Ｖ＝ＮＨであり、Ｒ３及びＲ４＝Ｈであり、そしてＹ＝ＣＨ２＝Ｃ（ＣＨ３）−ＣＯ−Ｏ−（ＣＨ２）２−である式（Ｉｂ）の化合物（＝ウレイドメタクリレート）が特に好ましい。
【００３９】
式（Ｉ）におけるＹとしては、フリーラジカル重合が可能である全てのエチレン性不飽和（ethylenically unsubstituted）基が適している。
【００４０】
本発明の好ましい実施形態において、用いられるエチレン性不飽和基Ｙは、下記式（ＩＶ）の基
Ｙは、ＣＨ２＝ＣＲ５−ＣＯ−Ｗ−（ＣＨ２）ｎ−        （ＩＶ）
であり、式中、
Ｒ５はＨ、ＣＨ３であり、
ＷはＯ、ＮＨであり、
ｎは２〜８、特に２〜４である。
【００４１】
挙げることのできるＹの例は、下記のものである：
ＣＨ２＝ＣＨ−ＣＯ−Ｏ−（ＣＨ２）２−；ＣＨ２＝ＣＨ−ＣＯ−ＮＨ−（ＣＨ２）２−；
ＣＨ２＝Ｃ（ＣＨ３）−ＣＯ−Ｏ−（ＣＨ２）２−；
ＣＨ２＝Ｃ（ＣＨ３）−ＣＯ−ＮＨ−（ＣＨ２）２−；
ＣＨ２＝ＣＨ−ＣＯ−Ｏ−（ＣＨ２）３−；ＣＨ２＝ＣＨ−ＣＯ−ＮＨ−（ＣＨ２）３−；
ＣＨ２＝Ｃ（ＣＨ３）−ＣＯ−Ｏ−（ＣＨ２）３−；
ＣＨ２＝Ｃ（ＣＨ３）−ＣＯ−ＮＨ−（ＣＨ２）３−；
ＣＨ２＝ＣＨ−ＣＯ−Ｏ−（ＣＨ２）４−；ＣＨ２＝ＣＨ−ＣＯ−ＮＨ−（ＣＨ２）４−；
ＣＨ２＝Ｃ（ＣＨ３）−ＣＯ−Ｏ−（ＣＨ２）４−；
ＣＨ２＝Ｃ（ＣＨ３）−ＣＯ−ＮＨ−（ＣＨ２）４−。
【００４２】
Ｙは、特に好ましくはＣＨ２＝Ｃ（ＣＨ３）−ＣＯ−Ｏ−（ＣＨ２）２−である。
【００４３】
Ｒ１及びＲ２、Ｒ３、Ｒ４、Ｒ６、Ｒ７、Ｒ９は、互いに独立して、水素、分枝又は非分枝Ｃ１−Ｃ８−アルキル鎖、好ましくはメチル、エチル、ｎ−プロピル、１−メチルエチル、ｎ−ブチル、１−メチルプロピル、２−メチルプロピル、１，１−ジメチルエチル、ｎ−ペンチル、１−メチルブチル、２−メチルブチル、３−メチルブチル、２，２−ジメチルプロピル、１−エチルプロピル、ｎ−ヘキシル、１，１−ジメチルプロピル、１，２−ジメチルプロピル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、１−エチル−２−メチルプロピル、ｎ−ヘプチル、２−エチルヘキシル及びｎ−オクチルであってよい。
【００４４】
モノマー（Ａ−２）として好適なものは、式（ＩＩ）のモノマー
Ｘ−Ｃ（Ｏ）ＣＲ７＝ＣＨＲ６                  （ＩＩ）
であり、式中の置換基は下記の意味を有する：
Ｘは基−ＯＨ、−ＯＲ８、ＮＨ２、−ＮＨＲ８、Ｎ（Ｒ８）２の群から選択され；
基Ｒ８は同一でも異なってもよく、−Ｈ、Ｃ１−Ｃ４０直鎖若しくは分枝アルキル基、Ｎ，Ｎ−ジメチルアミノエチル、２−ヒドロキシエチル、２−メトキシエチル、２−エトキシエチル、ヒドロキシプロピル、メトキシプロピル又はエトキシプロピルからなる群から選択され；
Ｒ７及びＲ６は互いに独立して、−Ｈ、Ｃ１−Ｃ８直鎖若しくは分枝アルキル基、メトキシ、エトキシ、２−ヒドロキシエトキシ、２−メトキシエトキシ及び２−エトキシエチルからなる群から選択される。
【００４５】
代表的ではあるが非限定的である好適なモノマー（Ａ−２）の例は、例えば、アクリル酸並びにそのエステル及びアミドである。
【００４６】
エステルは、Ｃ１−Ｃ４０直鎖、Ｃ３−Ｃ４０分枝若しくはＣ３−Ｃ４０炭素環状のアルコールから、２個〜約８個のヒドロキシル基を有する多官能性アルコール、例えばエチレングリコール、へキシレングリコール、グリセロール、及び１，２，６−ヘキサントリオールから、アミノアルコールから、又はアルコールエーテル、例えばメトキシエタノール及びエトキシエタノール若しくはポリエチレングリコールから、誘導することができる。
【００４７】
同様に使用できるモノマー（Ａ−２）は、置換されたアクリル酸並びにそのエステル及びアミドであって、炭素原子上の該置換基がアクリル酸の２つ又は３つの位置にあり、そして互いに独立して、Ｃ１−Ｃ４−アルキル、−ＣＮ、ＣＯＯＨからなる群から選択されるもの、特に好ましくはメタクリル酸、エタクリル酸及び３−シアノアクリル酸である。これらの置換されたアクリル酸のこれらのエステル及びアミドは、アクリル酸のエステル及びアミドについて上記で説明したように選択することができる。
【００４８】
特に好適なモノマー（Ａ−２）は、アクリル酸、メタクリル酸、エチルアクリル酸、メチルアクリレート、エチルアクリレート、プロピルアクリレート、ｎ−ブチルアクリレート、イソブチルアクリレート、ｔ−ブチルアクリレート、２−エチルヘキシルアクリレート、デシルアクリレート、メチルメタクリレート、エチルメタクリレート、プロピルメタクリレート、ｎ−ブチルメタクリレート、イソブチルメタクリレート、ｔ−ブチルメタクリレート、２−エチルヘキシルメタクリレート、デシルメタクリレート、メチルエタクリレート、エチルエタクリレート、ｎ−ブチルエタクリレート、イソブチルエタクリレート、ｔ−ブチルエタクリレート、２−エチルヘキシルエタクリレート、デシルエタクリレート、２，３−ジヒドロキシプロピルアクリレート、２，３−ジヒドロキシプロピルメタクリレート、２−ヒドロキシエチルアクリレート、ヒドロキシプロピルアクリレート、２−ヒドロキシエチルメタクリレート、２−ヒドロキシエチルエタクリレート、２−メトキシエチルアクリレート、２−メトキシエチルメタクリレート、２−メトキシエチルエタクリレート、２−エトキシエチルメタクリレート、２−エトキシエチルエタクリレート、ヒドロキシプロピルメタクリレート、グリセロールモノアクリレート、グリセロールモノメタクリレート、ポリアルキレングリコール（メタ）アクリレート、不飽和スルホン酸、例えば、アクリルアミドプロパンスルホン酸などであり；
モノマー（Ａ−２）として同様に好適なものは、マレイン酸、フマル酸、マレイン酸無水物及びその半エステル、クロトン酸、イタコン酸である。
【００４９】
これらのうち、アクリル酸、メタクリル酸、マレイン酸、フマル酸、クロトン酸、マレイン酸無水物及びその半エステル、メチルアクリレート、メチルメタクリレート、エチルアクリレート、エチルメタクリレート、ｎ−ブチルアクリレート、ｎ−ブチルメタクリレート、ｔ−ブチルアクリレート、ｔ−ブチルメタクリレート、イソブチルアクリレート、イソブチルメタクリレート、２−エチルヘキシルアクリレート、Ｎ−ｔ−ブチルアクリルアミド、Ｎ−オクチルアクリルアミド、２−ヒドロキシエチルアクリレート、ヒドロキシプロピルアクリレート、２−ヒドロキシエチルメタクリレート、ヒドロキシプロピルメタクリレート、アルキレングリコール（メタ）アクリレート、不飽和スルホン酸、例えば、アクリルアミドプロパンスルホン酸など、及びＮ−［３−（ジメチルアミノ）プロピル］メタクリルアミドが特に好ましい。
【００５０】
特に好適なモノマー（Ａ−２）は、ｎ−ブチルアクリレート、アクリル酸及び／又はステアリルメタクリレートである。
【００５１】
Ｒ８及びＲ１２、Ｒ１３は互いに独立して、分枝又は非分枝Ｃ１−Ｃ４０アルキル基、好ましくは分枝又は非分枝Ｃ１−Ｃ２０アルキル基であってよい。
【００５２】
好適なモノマー（Ｂ−１）は、式（ＩＩＩ）のモノマー
【化４】
2006513279.tif 000006
【００５３】
であり、式中、
Ｒ９はＨ、１〜８個の炭素原子を有するアルキルであり、
Ｒ１０はＨ、メチルであり、
Ｒ１１は場合によりＣ１−Ｃ６−アルキルで置換された１〜２４個の炭素原子を有するアルキレンであり、
Ｒ１２、Ｒ１３はＣ１−Ｃ４０−アルキル基であり、
Ｚはｘ＝１のときは窒素であるか又はｘ＝０のときは酸素であり、
ｘは０である。
【００５４】
アミドは、置換されていなくてもよく、Ｎ−アルキル若しくはＮ−アルキルアミノで一置換されていてもよく、又はＮ，Ｎ−ジアルキルで置換されていてもよく若しくはＮ，Ｎ−ジアルキルアミノで二置換されていてもよく、ここで、該アルキル又はアルキルアミノ基はＣ１−Ｃ４０直鎖、Ｃ３−Ｃ４０分枝、又はＣ３−Ｃ４０炭素環状の単位から誘導される。加えて、アルキルアミノ基は四級化されていてもよい。
【００５５】
同様に使用できるモノマー（Ｅ）は、置換されたアクリル酸、並びにそのエステル及びアミドであって、炭素原子上の該置換基がアクリル酸の２つ又は３つの位置にあリ、そして互いに独立して、Ｃ１−Ｃ４−アルキル、ＣＮ、ＣＯＯＨからなる群から選択されるもの、特に好ましくはメタクリル酸、エタクリル酸及び３−シアノアクリル酸である。これらの置換されたアクリル酸のこれらのエステル及びアミドは、アクリル酸のエステル及びアミドについて上記で説明したように選択することができる。
【００５６】
モノマー（Ｂ−１）としては、以下の群から選択される１種以上のモノマーを用いることが特に好ましい：Ｎ，Ｎ−ジメチルアミノメチル（メタ）アクリレート、Ｎ，Ｎ−ジエチルアミノメチル（メタ）アクリレート、Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジエチルアミノプロピル（メタ）アクリレート。
【００５７】
特に好ましい実施形態において、用いられるモノマー（Ｂ−１）はＮ，Ｎ−ジメチルアミノプロピル（メタ）アクリレートである。
【００５８】
使用できる好適な共重合性モノマー（Ｂ−２）は、好ましくはエチレン性不飽和モノマーである。これに関して、個々のモノマー又は２種以上のモノマーの組み合わせの何れを使用することも可能である。共重合性とは、用いられるモノマーが従来の任意の合成方法を用いて重合可能であることを意味する。
【００５９】
例えば、これらの方法は、溶液重合、乳化重合、逆乳化重合（inverse emulsion polymerization）、懸濁重合、逆懸濁重合（inverse suspension polymerization）又は沈殿重合（precipitation polymerization）であってよいが、それに使用できる方法を限定するものではない。溶液重合において、水又は慣用の有機溶剤を溶剤として用いることができる。溶融物中での製造も可能である。
【００６０】
フリーラジカルによる反応の開始によって重合可能であるモノマーが好ましい。エチレン性不飽和という用語は、モノマーが、一、二、三又は四置換されていてもよい少なくとも１個の重合性炭素−炭素二重結合を有することを意味する。
【００６１】
原則として、（Ａ−１）及び（Ａ−２）として挙げた全てのモノマーは、それらが（Ｂ−１）とは異なる限り、適している。
【００６２】
好ましい実施形態において、用いられるコポリマー（Ａ）は、少なくとも１種のモノマー（Ａ−１）と少なくとも２種のモノマー（Ａ−２）とのコポリマーである。
【００６３】
好ましい実施形態において、用いられるコポリマー（Ａ）は、少なくとも１種のモノマー（Ａ−１）と少なくとも２種のモノマー（Ａ−２）とのコポリマーであって、該モノマー（Ａ−２）がｎ−ブチルアクリレート、アクリル酸及び／又はステアリルメタクリレートからなる群から選択されるものである。
【００６４】
好ましい実施形態において、用いられるコポリマー（Ａ）は、ウレイドメタクリレートをモノマー（Ａ−１）として選択し、そしてｎ−ブチルアクリレート、アクリル酸及び／又はステアリルメタクリレートからなる群からの少なくとも１種のモノマーをモノマー（Ａ−２）として選択したコポリマーである。
【００６５】
本発明の好ましい実施形態において、用いられるコポリマー（Ａ）は、少なくとも１種のモノマー（Ａ−１）と少なくとも２種のモノマー（Ａ−２）とのコポリマーである。
【００６６】
好ましい実施形態において、用いられるコポリマー（Ａ）は、ウレイドメタクリレートをモノマー（Ａ−１）として選択し、そしてｎ−ブチルアクリレート、アクリル酸及び／又はステアリルメタクリレートからなる群からの少なくとも２種のモノマーをモノマー（Ａ−２）として選択したコポリマーである。
【００６７】
好ましい実施形態において、用いられるコポリマー（Ｂ）は、少なくとも１種のモノマー（Ｂ−１）と少なくとも２種のモノマー（Ｂ−２）とのコポリマーである。
【００６８】
好ましい実施形態において、用いられるコポリマー（Ｂ）は、モノマー（Ｂ−１）としてのＮ，Ｎ−ジメチルアミノプロピル（メタ）クリレートと少なくとも１種の他のモノマー（Ｂ−２）とのコポリマーである。
【００６９】
好ましい実施形態において、用いられるコポリマー（Ｂ）は、モノマー（Ｂ−１）としてのＮ，Ｎ−ジメチルアミノプロピル（メタ）クリレートとにｎ−ブチルアクリレート及びウレイドメタクリレートからなる群から選択される少なくとも１種の他のモノマー（Ｂ−２）とのコポリマーである。
【００７０】
好ましい実施形態において、コポリマー（Ａ）とコポリマー（Ｂ）とのモル比は、１：１０〜１０：１の範囲、特に１：５〜５：１の範囲にあるように選択される。
【００７１】
本発明はさらに、
（Ｂ−１）少なくとも１種の式（ＩＩＩ）のモノマー
【化５】
2006513279.tif 000007
【００７２】
（式中、
Ｒ９はＨ、１〜８個の炭素原子を有するアルキルであり、
Ｒ１０はＨ、メチルであり、
Ｒ１１は場合によりＣ１−Ｃ６−アルキルで置換された１〜２４個の炭素原子を有するアルキレンであり、
Ｒ１２、Ｒ１３はＣ１−Ｃ４０−アルキル基であり、
Ｚはｘ＝１のときは窒素であるか又はｘ＝０のときは酸素である）、
及び
（Ｂ−２）少なくとも１種エチレン性不飽和モノマー
のコポリマー（Ｂ）を提供する。
【００７３】
コポリマー（Ｂ）は化粧料における使用に適している。コポリマー（Ｂ）は増粘剤として適している。それらは化粧料における増粘剤として特に適している。
【００７４】
本発明に係る調製物は増粘剤として適している。本発明はさらに、１〜３０重量％、特に５〜２５重量％、好ましくは８〜２０重量％の請求項１に記載の組成物を、増粘すべき調製物に添加する、化粧料の増粘方法を提供する。
【００７５】
本発明に係る調製物は、化粧料、特に毛髪化粧料に有利に用いることができる。
【００７６】
化粧料という用語は、広義に理解すべきであり、そして皮膚及び／又は毛髪及び／又は爪への適用に適しており、かつ純粋に医療−治療の目的以外の目的を有する全ての調製物を意味する。
【００７７】
本発明に係る調製物は、皮膚化粧料に用いることができる。
【００７８】
例えば、本発明に係る調製物は、皮膚のクレンジングのための化粧品組成物に用いられる。このような化粧クレンジング組成物は、棒石鹸、例えば化粧石鹸、カード石鹸、透明石鹸、ラグジャリー石鹸、消臭石鹸、クリーム石鹸、ベビー石鹸、皮膚保護石鹸、剥離石鹸及び合成石鹸、液体石鹸、例えばペースト状石鹸、軟石鹸及び洗浄ペースト、並びに液状の洗浄用、シャワー用及び浴用調製物、例えば洗浄ローション、シャワー浴剤及びシャワー用ゲル、泡浴剤、オイル浴剤及びスクラブ調製物である。
【００７９】
好ましくは、本発明に係る調製物は皮膚の手入れ（スキンケア）及び保護のための組成物、爪のケア組成物、並びに装飾化粧品のための調製物に使用される。
【００８０】
スキンケア組成物、入念ケア組成物、フットケア組成物、消臭剤、光保護組成物、撥水剤、シェービング組成物、脱毛組成物、抗アクネ組成物、メイキャップ、マスカラ、リップスティック、アイシャドー、コールペンシル、アイライナー、頬紅、白粉及びアイブローペンシルに使用することが特に好ましい。
【００８１】
スキンケア組成物は、特にＷ／Ｏ型又はＯ／Ｗ型のスキンクリーム、昼用及び夜用クリーム、アイクリーム、フェースクリーム、ウィンクル（しわ）防止クリーム、加湿クリーム、美白クリーム、ビタミンクリーム、スキンローション、ケアローション及び加湿ローションの形で使用される。
【００８２】
化粧料において、本発明に係る調製物は、特別の効果を発揮することができる。該調製物は、特に皮膚の加湿及びコンディショニング並びに皮膚の感触の改善に寄与することができる。該調製物は、製剤の増粘剤として作用することもできる。本発明に係る調製物を添加した結果として、一定の製剤において、皮膚の適合性の著しい改善を達成することができる。
【００８３】
本発明に係る調製物は、皮膚化粧料中に、組成物の全重量に対して約０．００１〜２０重量％、好ましくは０．０１〜１０重量％、実に特に好ましくは０．１〜５重量％の量で存在する。
【００８４】
使用分野に応じて、本発明に係る組成物はスキンケアに適する形態、例えばクリーム、フォーム、ゲル、ペンシル、粉末、ムース、乳液又はローションなどの形態で使用することができる。
【００８５】
本発明に係る調製物及び好適な溶剤のほかに、皮膚化粧料は、化粧品に慣用される添加物、例えば乳化剤、保存剤、香油、化粧品活性成分、例えばフィタントリオール（phytantriol）、ビタミンＡ、Ｅ及びＣ、レチノール、ビスアボロール（bisabolol）、パンテノール、光保護剤、美白剤、着色剤、色調付与剤、日焼け剤（例えば、ジヒドロキシアセトン）、コラーゲン、タンパク質加水分解物、安定剤、ｐＨ調節剤、染料、塩、増粘剤、ゲル形成剤、粘度付与剤（bodying）剤、シリコーン、保湿剤、再加脂（refatting）剤及び他の慣用添加物を含むこともできる。
【００８６】
好適な溶剤は、特に、水及び１〜６個の炭素原子を有する低級モノアルコール若しくはポリオール又はそれらの混合物であり；好ましいモノアルコール又はポリオールはエタノール、イソプロパノール、プロピレングリコール、グリセロール及びソルビトールである。
【００８７】
存在してもよい他の慣用添加物は、脂肪質物質、例えば鉱油及び合成油、例えばパラフィン、シリコーン及び８個を超える炭素原子を有する脂肪族炭化水素など、動物油及び植物油、例えばヒマワリ油、ヤシ油、アボカド油、オリーブ油、ラノリンなど、又はワックス、脂肪酸、脂肪酸エステル、例えばＣ６−Ｃ３０−脂肪酸のトリグリセリドなど、ワックスエステル、例えばツゲ（jojoba）油など、脂肪アルコール、ワセリン、水素化ラノリン及びアセチル化ラノリンである。それらの混合物も使用可能であることは当然である。
【００８８】
このような製剤における慣用の増粘剤は、架橋ポリアクリル酸及びその誘導体、多糖、例えばキサンタンゴムなど、寒天、アルギネート又はチロース、カルボキシメチルセルロース又はヒドロキシカルボキシメチルセルロース、脂肪アルコール、モノグリセリド及び脂肪酸、ポリビニルアルコール及びポリビニルピロリドンである。
【００８９】
本発明に係る調製物は、特定の特性を設定すべき場合には、従来のポリマーと混合することもできる。
【００９０】
好適な従来のポリマーは、例えば、陰イオン、陽イオン、両性及び中性ポリマーである。
【００９１】
陰イオンポリマーの例は、アクリル酸又はメタクリル酸又はその塩のホモポリマー及びコポリマー、アクリル酸及びアクリルアミド及びその塩のコポリマー；ポリヒドロキシカルボン酸のナトリウム塩、水溶性又は水分散性のポリエステル、ポリウレタン及びポリ尿素である。特に好適なホモポリマーは、ｔ−ブチルアクリレート、エチルアクリレート及びメタクリル酸のコポリマー（例えば、Ｌｕｖｉｍｅｒ（商標）  １００Ｐ）、エチルアクリレート及びメタクリル酸のコポリマー（例えば、Ｌｕｖｉｍｅｒ（商標）  ＭＡＥ）、Ｎ−ｔｅｒｔ−ブチルアクリルアミド、エチルアクリレート、アクリル酸のコポリマー（例えば、Ｕｌｔｒａｈｏｌｄ（商標）  ８、強）、ビニルアセテート、クロトン酸及び場合により他のビニルエステルのコポリマー（例えば、Ｌｕｖｉｓｅｔ（商標）  商標名）、場合によりアルコールと反応させた無水マレイン酸コポリマー、陰イオンポリシロキサン、例えばビニルピロリドン、ｔ−ブチルアクリレート、メタクリル酸のカルボキシ官能性コポリマー（例えば、Ｌｕｖｉｓｋｏｌ（商標）  ＶＢＭ）、アクリル酸及びメタクリル酸と疎水性モノマー、例えばメタ（アクリル酸）のＣ４−Ｃ３０−アルキルエステル、Ｃ４−Ｃ３０−アルキルビニルエステル、Ｃ４−Ｃ３０−アルキルビニルエーテル及びヒアルロン酸などとのコポリマーである。
【００９２】
他の好適なポリマーは、ＩＮＣＩ名称ポリクォーターニウム（Ｐｏｌｙｑｕａｔｅｒｎｉｕｍ）を有する陽イオンポリマー、例えばビニルピロリドン／Ｎ−ビニルイミダゾリウム塩のコポリマー（Ｌｕｖｉｑｕａｔ（商標）、ＦＣＬｕｖｉｑｕａｔ（商標）  ＨＭ、Ｌｕｖｉｑｕａｔ（商標）  ＭＳ、Ｌｕｖｉｑｕａｔ（商標）  Ｃａｒｅ）、硫酸ジエチルで四級化したＮ−ビニルピロリドン／ジメチルアミノエチルメタクリレートのコポリマー（Ｌｕｖｉｑｕａｔ（商標）  ＰＱ  １１）、Ｎ−ビニルカプロラクタム／Ｎ−ビニルピロリドン／Ｎ−ビニルイミダゾリウム塩のコポリマー（Ｌｕｖｉｑｕａｔ（商標）  Ｈｏｌｄ）；陽イオンセルロース誘導体（ポリクォーターニウム−４及び−１０）、アクリルアミドコポリマー（ポリクォーターニウム−７）及びキトサンである。
【００９３】
また、好適な他のポリマーは、中性ポリマー、例えばポリビニルピロリドン、Ｎ−ビニルピロリドン及びビニルアセテート及び／又はビニルプロピオネートのコポリマー、ポリシロキサン、ポリビニルカプロラクタム、及びＮ−ビニルピロリドンを含むコポリマー、ポリエチレンイミン及びその塩、ポリビニルアミン及びその塩、セルロース誘導体、ポリアスパラギン酸塩及び誘導体である。
【００９４】
一定の特性を設定するために、調製物はシリコーン化合物に基づくコンディショニング物質をさらに含むこともできる。好適なシリコーン化合物は、例えば、ポリアルキルシロキサン、ポリアリールシロキサン、ポリアリールアルキルシロキサン、ポリエーテルシロキサン又はシリコーン樹脂である。
【００９５】
本発明に係るコポリマーは、当業者によく知られた通例により製造される化粧料に使用される。
【００９６】
このような製剤はエマルジョンの形態、好ましくは油中水滴（Ｗ／Ｏ）型又は水中油滴（Ｏ／Ｗ）型エマルジョンの形態であることが有利である。しかしながら、本発明によれば、他の型の製剤、例えばヒドロ分散液、ゲル、オイル、含油ゲル、多相エマルジョン、例えばＷ／Ｏ／Ｗ型又はＯ／Ｗ／Ｏ型エマルジョン、無水軟膏又は軟膏基剤などを選択することも可能であり、かつある場合に有利である。
【００９７】
本発明により使用できるエマルジョンは、公知方法により製造される。
【００９８】
本発明に係る共重合のほかに、エマルジョンは慣用成分、例えば脂肪アルコール、脂肪酸エステル及び特に脂肪酸トリグリセリド、脂肪酸、ラノリン及びその誘導体、天然若しくは合成の油又はワックス、並びに乳化剤を、水の存在下に含む。
【００９９】
エマルジョンの型及び好適なエマルジョンの製造に対して特定の添加物の選択は、例えば、Ｓｃｈｒａｄｅｒ，Ｇｒｕｎｄｌａｇｅｎ  ｕｎｄ  Ｒｅｚｅｐｔｕｒｅｎ  ｄｅｒ  Ｋｏｓｍｅｔｉｋａ［Ｆｕｎｄａｍｅｎｔａｌｓ  ａｎｄ  Ｆｏｒｍｕｌａｔｉｏｎｓ  ｏｆ  Ｃｏｓｍｅｔｉｃｓ］，Ｈｕｅｔｈｉｇ  Ｂｕｃｈ  Ｖｅｒｌａｇ，Ｈｅｉｄｅｌｂｅｒｇ，２版，１９８９，３部に記載されており、これは明確に参照される。
【０１００】
従って、本発明により使用できるスキンクリームは、Ｗ／Ｏ型エマルジョンの形態にあってよい。この型のエマルジョンは、好適な乳化剤系により油相又は脂肪相中に乳化された水性相を含む。
【０１０１】
この型のエマルジョン中の乳化剤系の濃度は、エマルジョンの全重量に対して約４〜３５重量％であり；それぞれの場合にエマルジョンの全重量に対して、脂肪相は約２０〜６０重量％を占め、水性相は約２０〜７０重量％を占める。乳化剤は、この型のエマルジョンに慣用されるものである。それらは、例えば以下のものから選択される：Ｃ１２−Ｃ１８−ソルビタン脂肪酸エステル；ヒドロキシステアリン酸及びＣ１２−Ｃ３０−脂肪アルコールのエステル；Ｃ１２−Ｃ１８−脂肪酸及びグリセロール又はポリグリセロールのモノ−及びジエステル；エチレンオキシド及びプロピレングリコールの縮合物；オキシプロピレン化／オキシエチレン化したＣ１２−Ｃ２０−脂肪アルコール；多環式アルコール、例えばステロール；高分子量の脂肪族アルコール、例えばラノリン；オキシプロピレン化／ポリグリセロール化したアルコール及びイソステアリン酸マグネシウムの混合物；ポリオキシエチレン化又はポリオキシプロピレン化した脂肪アルコールのコハク酸エステル；並びにラノリン酸マグネシウム、カルシウム、リチウム、亜鉛又はアルミニウム及び水素化ラノリン又はラノリンアルコールの混合物。
【０１０２】
エマルジョンの脂肪相中に存在できる好適な脂肪成分は、炭化水素油、例えばパラフィン油、パーセリン（purcellin）油、パーヒドロスクワレン及びこれらの油中の微結晶性ワックスの溶液；動物油及び植物油、例えばスイートアーモンド油、アボカド油、カロフィルム（calophylum）油、ラノリン油及びその誘導体、ヒマシ油、ゴマ油、オリーブ油、ツゲ油、カリテ（karite）油、ホプロステタス（hoplostethus）油；大気圧での蒸留開始点が約２５０℃であり、蒸留終点が４１０℃である鉱油、例えばワセリン油など；飽和又は不飽和脂肪酸のエステル、例えばアルキルミリステート、例えばイソプロピル、ブチル又はセチルミリステート、ヘキサデシルステアレート、エチル又はイソプロピルパルミテート、オクタン酸又はデカン酸トリグリセリド及びセチルリシノレートを包含する。
【０１０３】
脂肪相は、他の油に溶解するシリコーン油、例えばジメチルポリシロキサン、メチルフェニルポリシロキサン、並びにシリコーングリコールコポリマー、脂肪酸及び脂肪アルコールを含むこともできる。
【０１０４】
油の保持を助成するために、ワックス、例えばカルナウバ蝋、キャンデリラ蝋、蜜蝋、微結晶性ワックス、オゾケライト（ozokerite）蝋など、並びにオレイン酸、ミリスチン酸、リノール酸及びステアリン酸Ｃａ、Ｍｇ及びＡｌを使用することも可能である。
【０１０５】
一般的に、これらの油中水型エマルジョンは、脂肪相及び乳化剤をバッチ容器に添加することにより製造される。後者を７０〜７５℃の温度で加熱し、次いで油溶性成分を添加し、予め同じ温度に加熱され、かつ予め水溶性成分が溶解されている水を攪拌しながら添加し；この混合物を所望の細末度が達成されるまで攪拌し、次いで適切ならば、これを少ない攪拌量で室温まで放冷する。
【０１０６】
加えて、本発明に係るケアエマルジョンはＯ／Ｗ型エマルジョンの形態にあってよい。このようなエマルジョンは一般的に、油相、水相中の該油相を安定化する乳化剤、及び一般的に濃縮した形態で存在する水性相を含む。
【０１０７】
本発明に係る調製物のＯ／Ｗ型エマルジョンの水性相は、場合により下記のものを含む：
−アルコール、ジオール又はポリオール及びそのエステル、好ましくはエタノール、イソプロパノール、プロピレングリコール、グリセロール、エチレングリコールモノエチルエーテル；
−慣用の増粘剤又はゲル形成剤、例えば、架橋ポリアクリル酸及びその誘導体、多糖、例えばキサンタンゴム又はアルギネート、カルボキシメチルセルロース又はヒドロキシカルボキシメチルセルロース、脂肪アルコール、ポリビニルアルコール及びポリビニルピロリドンなど。
【０１０８】
油相は、化粧品に慣用される油成分、例えば下記のようなものを含む：
−飽和及び／又は不飽和の分枝及び／又は非分枝Ｃ３−Ｃ３０−アルカンカルボン酸と飽和及び／又は不飽和の分枝及び／又は非分枝Ｃ３−Ｃ３０−アルコールとの、芳香族カルボン酸と飽和及び／又は不飽和の分枝及び／又は非分枝Ｃ３−Ｃ３０−アルコールとのエステル、例えばイソプロピルミリステート、イソプロピルステアレート、ヘキシルデシルステアレート、オレイルオレエート；そしてまた、このようなエステルの合成、半合成及び天然の混合物、例えばツゲ油；
−分枝及び／又は非分枝炭化水素及び炭化水素ワックス；
−シリコーン油、例えばシクロメチコーン、ジメチルポリシロキサン、ジエチルポリシロキサン、オクタメチルシクロテトラシロキサン及びそれらの混合物；
−ジアルキルエーテル；
−鉱油及び鉱蝋；
−飽和及び／又は不飽和の分枝及び／又は非分枝Ｃ８−Ｃ２４−アルカンカルボン酸のトリグリセリド；それらは合成、半合成若しくは天然の油、例えばオリーブ油、パーム油、アーモンド油又は混合物から選択することができる。
【０１０９】
好適な乳化剤は、好ましくはＯ／Ｗ型乳化剤、例えばポリグリセロールエステル、ソルビタンエステル又は部分エステル化したグリセリドである。
【０１１０】
製造は、油相を約８０℃で溶融することにより行うことができる；水溶性成分を熱水に溶解し、該油相に徐々に攪拌しながら添加し；均質化し、冷却するまで攪拌する。
【０１１１】
本発明に係るポリマーは、洗浄用及びシャワー用ゲル調製物並びに浴用調製物に使用するためにも適している。
【０１１２】
本発明に係るポリマーのほかに、このような製剤は一般的に、基礎界面活性剤として陰イオン界面活性剤、及び補助界面活性剤として両性及び非イオン界面活性剤、そしてまた、脂質、香油、染料、有機酸、保存剤及び抗酸化剤、並びに増粘剤／ゲル形成剤、皮膚コンディショニング剤及び保湿剤を含む。
【０１１３】
洗浄用、シャワー用及び浴用調製物において、ボディクレンジング組成物に慣用される全ての陰イオン、中性、両性又は陽イオン界面活性剤を使用することができる。
【０１１４】
製剤は、２〜５０重量％、好ましくは５〜４０重量％、特に好ましくは８〜３０重量％の界面活性剤を含む。
【０１１５】
好適な陰イオン界面活性剤は、例えば、アルキルスルフェート、アルキルエーテルスルフェート、アルキルスルホネート、アルキルアリールスルホネート、アルキルスクシネート、アルキルスルホスクシネート、Ｎ−アルコイルサルコシネート、アシルタウレート、アシルイセチオネート、アルキルホスフェート、アルキルエーテルホスフェート、アルキルエーテルカルボキシレート、アルファ−オレフィンスルホネート、特にアルカリ金属及びアルカリ土類金属塩、例えばナトリウム、カリウム、マグネシウム、カルシウム、並びにアンモニウム及びトリエタノールアミン塩である。アルキルエーテルスルフェート、アルキルエーテルホスフェート及びアルキルエーテルカルボキシレートは、分子中に１〜１０個のエチレンオキシド又はプロピレンオキシド単位、好ましくは１〜３個のエチレンオキシド単位を有することができる。
【０１１６】
好適なものは、例えば、ナトリウムラウリルスルフェート、アンモニウムラウリルスルフェート、ナトリウムラウリルエーテルスルフェート、アンモニウムラウリルエーテルスルフェート、ナトリウムラウリルサルコシネート、ナトリウムオレイルスクシネート、アンモニウムラウリルスルホスクシネート、ナトリウムドデシルベンゼンスルホネート、トリエタノールアミンドデシルベンゼンスルホネートである。
【０１１７】
好適な両性界面活性剤は、例えば、アルキルベタイン、アルキルアミドプロピルベタイン、アルキルスルホベタイン、アルキルグリシネート、アルキルカルボキシグリシネート、アルキルアンホアセテート又はアンホプロピオネート、アルキルアンホジアセテート又はアンホジプロピオネートである。
【０１１８】
例えば、ココ（ヤシ油）ジメチルスルホプロピルベタイン、ラウリルベタイン、ココアミドプロピルベタイン又はナトリウムココアンホプロピオネートを使用することができる。
【０１１９】
好適な非イオン界面活性剤は、例えば、脂肪族アルコール又はアルキル鎖中に６〜２０個の炭素原子を有する直鎖でも分枝状でもよいアルキルフェノールとエチレンオキシド及び／又はプロピレンオキシドとの反応生成物である。アルキレンオキシドの量は、アルコール１モル当り約６〜６０モルである。同様に好適なものは、アルキルアミンオキシド、モノ−若しくはジアルキルアルカノールアミド、ポリエチレングリコールの脂肪酸エステル、エトキシル化した脂肪酸アミド、アルキルポリグリコシド又はソルビタンエーテルエステルである。
【０１２０】
加えて、洗浄用、シャワー用及び浴用調製物は、慣用の陽イオン界面活性剤、例えば、四級アンモニウム化合物、例えばセチルトリメチルアンモニウムクロリドなどを含むことができる。
【０１２１】
従って、加えて、他の慣用の陽イオンポリマー、例えば、アクリルアミド及びジメチルジアリルアンモニウムクロリドのコポリマー（ポリクォーターニウム−７）、陽イオンセルロース誘導体（ポリクォーターニウム−４、−１０）、グアヒドロキシプロピルトリメチルアンモニウムクロリド（ＩＮＩＣ：Ｈｙｄｒｏｘｙｐｒｏｐｙｌ  Ｇｕａｒ  Ｈｙｄｒｏｘｙｐｒｏｐｙｌｔｒｉｍｏｎｉｕｍ  Ｃｈｌｏｒｉｄｅ）、Ｎ−ビニルピロリドン及び四級化Ｎ−ビニルイミダゾールのコポリマー（ポリクォーターニウム−１６、−４４、−４６）、硫酸ジエチルで四級化したＮ−ビニルピロリドン／ジメチルアミノエチルメタクリレートのコポリマー（ポリクォーターニウム−１１）、その他を使用することもできる。
【０１２２】
加えて、洗浄用及びシャワー用ゲル製剤及び浴用調製物は、増粘剤、例えば、塩化ナトリウム、ＰＥＧ−５５、プロピレングリコールオレエート、ＰＥＧ−１２０メチルグルコースジオレエート、その他、そしてまた、保存剤、他の活性成分並びに補助剤及び水を含むことができる。
【０１２３】
毛髪化粧料は、特に、毛髪化粧料におけるスタイリング組成物及び／又はコンディショニング剤、例えばヘア硬化剤（hair curse）、ヘアムース、ヘアゲル又はヘアスプレー、ヘアローション、ヘアリンス、ヘアシャンプー、ヘアエマルジョン、枝毛用液体、パーマネントウェーブのための中和組成物、毛髪の染色剤及び漂白剤、「ホットオイルトリートメント」調製物、コンディショナー、セッティングローション又はヘアスプレーを包含する。使用分野に応じて、毛髪化粧料は、（エアゾール）スプレー、（エアゾール）ムース、ゲル、ゲルスプレー、クリーム、ローション又はワックスの形態で使用することができる。
【０１２４】
好ましい実施形態において、本発明に係る毛髪化粧品製剤は、
ａ）０．０５〜２０重量％の本発明に係る調製物
ｂ）２０〜９９．９５重量％の水及び／又はアルコール
ｃ）０〜７９．５重量％の他の成分
を含む。
【０１２５】
アルコールとは、化粧品に慣用される全てのアルコール、例えばエタノール、イソプロパノール、ｎ−プロパノールを意味すると理解される。
【０１２６】
他の成分とは、化粧品に慣用される添加物、例えば噴射剤、消泡剤、界面活性化合物、すなわち界面活性剤、乳化剤、泡形成剤及び可溶化剤を意味すると理解される。使用される界面活化合物は、陰イオン、陽イオン、両性又は中性であってよい。他の慣用成分は、例えば保存剤、香油、不透明剤、活性成分、ＵＶフィルター、ケア物質、例えばパンテノール、コラーゲン、ビタミン、タンパク質分解物、アルファ−及びベータ−ヒドロキシカルボン酸、タンパク質分解物、安定剤、ｐＨ調節剤、染料、粘度調節剤、ゲル形成剤、染料、塩、保湿剤、再加脂剤、錯生成剤及び他の慣用添加物であってもよい。
【０１２７】
同様にここに包含されるものは、化粧品において公知の全てのスタイリング及びコンディショニング用ポリマーであって、該ポリマーは極めて特定の特性を設定すべき場合に本発明に係るポリマーと組み合わせて使用できるものである。
【０１２８】
好適な従来の毛髪化粧品ポリマーの例は、陰イオンポリマーである。このような陰イオンポリマーは、アクリル酸及びメタクリル酸又はその塩のホモポリマー及びコポリマー、アクリル酸及びメタクリル酸及びクリルアミド及びその塩のコポリマー；ポリヒドロキシカルボン酸のナトリウム塩、水溶性又は水分散性ポリエステル、ポリウレタン（Ｌｕｖｉｓｅｔ（商標）  Ｐ．Ｕ．Ｒ．）及びポリ尿素である。特に好適なポリマーは、ｔ−ブチルアクリレート、エチルアクリレート、メタクリル酸のコポリマー（Ｌｕｖｉｍｅｒ（商標）  １００Ｐ）、Ｎ−ｔ−ブチルクリルアミド、エチルアクリレート、アクリル酸のコポリマー（例えば、Ｕｌｔｒａｈｏｌｄ（商標）  ８、強）、ビニルアセテート、クロトン酸及び場合により他のビニルエステルのコポリマー（例えば、Ｌｕｖｉｓｅｔ（商標）  商標名）、場合によりアルコールと反応させた無水マレイン酸コポリマー、陰イオンポリシロキサン、例えばカルボキシ官能性のもの、ビニルピロリドン、ｔ−ブチルアクリレート、メタクリル酸のコポリマー（例えば、Ｌｕｖｉｓｋｏｌｒ（商標）  ＶＢＭ）である。
【０１２９】
加えて、本発明に係るポリマーとの組み合わせに適するポリマー群は、例として以下のものを包含する：Ｂａｌａｎｃｅ（商標）  ＣＲ（Ｎａｔｉｏｎａｌ  Ｓｔａｒｃｈ；アクリレートコポリマー）、Ｂａｌａｎｃｅ（商標）  ０／５５（Ｎａｔｉｏｎａｌ  Ｓｔａｒｃｈ；アクリレートコポリマー）、Ｂａｌａｎｃｅ（商標）  ４７（Ｎａｔｉｏｎａｌ  Ｓｔａｒｃｈ；オクチルアクリルアミド／アクリレート／ブチルアミノエチルメタクリレートコポリマー）、Ａｑｕａｆｌｅｘ（商標）  ＦＸ  ６４（ＩＳＰ；イソブチレン／エチルマレイミド／ヒドロキシエチルマレイミドコポリマー）、Ａｑｕａｆｌｅｘ（商標）  ＳＦ−４０（ＩＳＰ  ／  Ｎａｔｉｏｎａｌ  Ｓｔａｒｃｈ；ＶＰ／ビニルカプロラクタム／ＤＭＡＰＡアクリレートコポリマー）、Ａｌｌｉａｎｚ（商標）  ＬＴ−１２０（ＩＳＰ  ／  Ｒｏｈｍ  ＆  Ｈａａｓ；アクリレート／Ｃ１−２スクシネート／ヒドロキシアクリレートコポリマー）、Ａｑｕａｒｅｚ（商標）  ＨＳ（Ｅａｓｔｍａｎ；ポリエステル−１）、Ｄｉａｆｏｒｍｅｒ（商標）  Ｚ−４００（Ｃｌａｒｉａｎｔ；メタクリロイルエチルベタイン／メタクリレートコポリマー）、Ｄｉａｆｏｒｍｅｒ（商標）  Ｚ−７１１（Ｃｌａｒｉａｎｔ；メタクリロイルエチルＮ−オキシド／メタクリレートコポリマー）、Ｄｉａｆｏｒｍｅｒ（商標）  Ｚ−７１２（Ｃｌａｒｉａｎｔ；メタクリロイルエチルＮ−オキシド／メタクリレートコポリマー）、Ｏｍｎｉｒｅｚ（商標）２０００（ＩＳＰ；エタノール中のポリ（メチルビニルエーテル／マレイン酸）のモノエチルエステル）、Ａｍｐｈｏｍｅｒ（商標）  ＨＣ（Ｎａｔｉｏｎａｌ  Ｓｔａｒｃｈ；アクリレート／オクチルアクリルアミドコポリマー）、Ａｍｐｈｏｍｅｒ（商標）  ２８−４９１０（Ｎａｔｉｏｎａｌ  Ｓｔａｒｃｈ；オクチルアクリルアミド／アクリレート／ブチルアミノエチルメタクリレートコポリマー）、ＡｄｖａｎｔａｇｅＴＭＨＣ  ３７（ＩＳＰ；ビニルカプロラクタム／ビニルピロリドン／ジメチルアミノエチルメタアクリレートのターポリマー）、ＡｃｕｄｙｎｅＴＭ２５８（Ｒｏｈｍ  ＆  Ｈａａｓ；アクリレート／ヒドロキシエステルアクリレートコポリマー）、ＬｕｖｉｓｅｔＴＭＰＵＲ（ＢＡＳＦ、ポリウレタン−１）、Ｌｕｖｉｆｌｅｘ（商標）  Ｓｉｌｋ（ＢＡＳＦ）、Ｅａｓｔｍａｎ（商標）  ＡＱ４８（Ｅａｓｔｍａｎ）。
【０１３０】
実に特に好ましい陰イオンポリマーは、酸価が１２０又はそれより大きいアクリレート、並びにｔ−ブチルアクリレート、エチルアクリレート、メタクリル酸のコポリマーである。
【０１３１】
他の好適な毛髪化粧品ポリマーは、ＩＮＣＩ名称ポリクォーターニウムを有する陽イオンポリマー、例えば、ビニルピロリドン／Ｎ−ビニルイミダゾリウム塩のコポリマー（Ｌｕｖｉｑｕａｔ（商標）  ＦＣ、Ｌｕｖｉｑｕａｔ（商標）  ＨＭ、Ｌｕｖｉｑｕａｔ（商標）  ＭＳ、Ｌｕｖｉｑｕａｔ（商標）  Ｃａｒｅ）、硫酸ジエチルで四級化したＮ−ビニルピロリドン／ジメチルアミノエチルメタクリレートのコポリマー（Ｌｕｖｉｑｕａｔ（商標）  ＰＱ  １１）、Ｎ−ビニルカプロラクタム／Ｎ−ビニルピロリドン／Ｎ−ビニルイミダゾリウム塩のコポリマー（Ｌｕｖｉｑｕａｔ（商標）  Ｈｏｌｄ）；陽イオンセルロース誘導体（ポリクォーターニウム−４及び−１０）、アクリルアミドコポリマー（ポリクォーターニウム−７）である。
【０１３２】
加えて、陽イオングア誘導体、例えばグアヒドロキシプロピルトリモニウム（ＩＮＣＩ）を使用することができる。
【０１３３】
また、他の好適な毛髪化粧品ポリマーは、中性ポリマー、例えばポリビニルピロリドン、Ｎ−ビニルピロリドン及びビニルアセテート及び／又はビニルプロピオネートのコポリマー、ポリシロキサン、ポリビニルカプロラクタム、並びにＮ−ビニルピロリドン、ポリエチレンイミン及びその塩を含むコポリマー、ポリビニルアミン及びその塩、セルロース誘導体、ポリアスバラギン酸塩及び誘導体である。
【０１３４】
一定の特性を設定するために、調製物はシリコーン化合物に基づくコンディショニング物質をさらに含むこともできる。好適なシリコーン化合物は、例えば、ポリアルキルシロキサン、ポリアリールシロキサン、ポリアリールアルキルシロキサン、ポリエーテルシロキサン、シリコーン樹脂、又はジメチコーンコポリオール（ＣＴＦＡ）及びアミノ官能性シリコーン化合物、例えばアモジメチコーン（ＣＴＦＡ）である。
【０１３５】
本発明に係る調製物は、ヘアスタイリング調製物、特にヘアスプレー（噴射剤ガスを含まないエアゾールスプレー及びポンプスプレー）及びヘアムース（噴射剤ガスを含まないエアゾールムース及びポンプムース）におけるセッティング剤として特に適している。
【０１３６】
好ましい実施形態において、これらの調製物は、
ａ）０．１〜１０重量％の本発明に係る調製物
ｂ）２０〜９９．９重量％の水及び／又はアルコール
ｃ）０〜７０重量％の噴射剤
ｄ）０〜２０重量％の他の成分
を含む。
【０１３７】
噴射剤は、ヘアスプレー又はヘアムースに慣用される噴射剤である。プロパン／ブタンの混合物、ペンタン、ジメチルエーテル、１，１−ジフルオロエタン（ＨＦＣ−１５２  ａ）、二酸化炭素、窒素又は圧縮空気が好ましい。
【０１３８】
本発明により好ましいエアゾールヘアムースのための製剤は、
ａ）０．１〜１０重量％の本発明に係る調製物
ｂ）５５〜９９．８重量％の水及び／又はアルコール
ｃ）５〜２０重量％の噴射剤
ｄ）０．１〜５重量％の乳化剤
ｅ）０〜１０重量％の他の成分
を含む。
【０１３９】
乳化剤としては、ヘアムースに慣用される全ての乳化剤を使用することが可能である。好適な乳化剤は非イオン性、陽イオン性又は陰イオン性又は両性であってよい。
【０１４０】
非イオン乳化剤の例（ＩＮＣＩ命名）は、ラウレス（laureth）類、例えばラウレス−４；  セテス（ceteth）類、例えばセテス−１、ポリエチレングリコールセチルエーテル；セテアレス（ceteareth）類、例えばセテアレス−２５、ポリグリコール脂肪酸グリセリド、ヒドロキシル化レシチン、脂肪酸のラクチルエステル、アルキルポリグリコシドである。
【０１４１】
陽イオン乳化剤の例は、リン酸二水素セチルジメチル−２−ヒドロキシエチルアンモニウム、セチルトリモニウムクロリド、セチルトリモニウムブロミド、ココトリモニウムメチルスルフェート、クォーターニウム−１ないしｘ（ＩＮＣＩ）である。
【０１４２】
陰イオン乳化剤は、例えば、アルキルスルフェート、アルキルエーテルスルフェート、アルキルスルホネート、アルキルアリールスルホネート、アルキルスクシネート、アルキルスルホスクシネート、Ｎ−アルコイルサルコシネート、アシルタウレート、アシルイセチオネート、アルキルホスフェート、アルキルエーテルホスフェート、アルキルエーテルカルボキシレート、アルファ−オレフィンスルホネート、特にアルカリ金属及びアルカリ土類金属塩、例えばナトリウム、カリウム、マグネシウム、カルシウム、並びにアンモニウム及びトリエタノールアミン塩の群から選択することができる。アルキルエーテルスルフェート、アルキルエーテルホスフェート及びアルキルエーテルカルボキシレートは、分子中に１〜１０個のエチレンオキシド又はプロピレンオキシド単位、好ましくは１〜３個のエチレンオキシド単位を有することができる。
【０１４３】
本発明によりスタイリング用ゲルに適する調製物は、例えば下記の組成を有する：
ａ）０．１〜１０重量％の本発明に係る調製物
ｂ）６０〜９９．８５重量％の水及び／又はアルコール
ｃ）０．０５〜１０重量％の用ゲル形成剤
ｄ）０〜２０重量％の他の成分。
【０１４４】
使用できる用ゲル形成剤は、化粧品に慣用される全ての用ゲル形成剤である。これらは、僅かに架橋したポリアクリル酸、例えばＣａｒｂｏｍｅｒ（ＩＮＣＩ）、セルロース誘導体、例えばヒドロキシプロピルセルロース、ヒドロキシエチルセルロース、陽イオン性に改変したセルロース、多糖、例えばキサンタンゴム、カプリル／カプリントリグリセリド、ナトリウムアクリレートコポリマー、ポリクォーターニウム−３２（及び）流動パラフィン（ＩＮＣＩ）、ナトリウムアクリレートコポリマー（及び）流動パラフィン（及び）ＰＰＧ−１トリデセス（trideceth）−６、アクリルアミドプロピルトリモニウムクロリド／アクリルアミドコポリマー、ステアレス（steareth）−１０アリルエーテルアクリレートコポリマー、ポリクォーターニウム−３７（及び）流動パラフィン（及び）ＰＰＧ−１トリデセス−６、ポリクォーターニウム−３７（及び）プロピレングリコールジカプレートジカプリレート（及び）流動パラフィンＰＰＧ−１トリデセス−６、ポリクォーターニウム−７、ポリクォーターニウム−４４を包含する。
【０１４５】
本発明に係る調製物は、毛髪の適合性を増大し、従ってそれらをコンディショニング剤として、特に化粧料におけるコンディショニング剤として使用することができる。
【０１４６】
本発明に係る調製物は、化粧料における増粘剤として使用することができる。
【０１４７】
本発明に係るポリマーは、シャンプー製剤においてセッティング剤及び／又はコンディショニング剤として使用することもできる。好適なコンディショニング剤は、特に正電荷を有するポリマーである。好ましいシャンプー製剤は、
ａ）０．０５〜１０重量％の本発明に係る調製物
ｂ）２５〜９４．９５重量％の水
ｃ）５〜５０重量％の界面活性剤
ｃ）０〜５重量％の他のコンディショニング剤
ｄ）０〜１０重量％の他の化粧品成分
を含む。
【０１４８】
シャンプー製剤において、シャンプーに慣用される全ての陰イオン、中性、両性又は陽イオン界面活性剤を使用することが可能である。
【０１４９】
好適な陰イオン乳化剤は、例えば、アルキルスルフェート、アルキルエーテルスルフェート、アルキルスルホネート、アルキルアリールスルホネート、アルキルスクシネート、アルキルスルホスクシネート、Ｎ−アルコイルサルコシネート、アシルタウレート、アシルイセチオネート、アルキルホスフェート、アルキルエーテルホスフェート、アルキルエーテルカルボキシレート、アルファ−オレフィンスルホネート、特にアルカリ金属及びアルカリ土類金属塩、例えばナトリウム、カリウム、マグネシウム、カルシウム、並びにアンモニウム及びトリエタノールアミン塩である。アルキルエーテルスルフェート、アルキルエーテルホスフェート及びアルキルエーテルカルボキシレートは、分子中に１〜１０個のエチレンオキシド又はプロピレンオキシド単位、好ましくは１〜３個のエチレンオキシド単位を有することができる。
【０１５０】
好適なものは、例えば、ナトリウムラウリルスルフェート、アンモニウムラウリルスルフェート、ナトリウムラウリルエーテルスルフェート、アンモニウムラウリルエーテルスルフェート、ナトリウムラウロイルサルコシネート、ナトリウムオレイルスクシネート、アンモニウムラウリルスルホスクシネート、ナトリウムドデシルベンゼンスルホネート、トリエタノールアミンドデシルベンゼンスルホネートである。
【０１５１】
好適な両性界面活性剤は、例えば、アルキルベタイン、アルキルアミドプロピルベタイン、アルキルスルホベタイン、アルキルグリシネート、アルキルカルボキシグリシネート、アルキルアンホアセテート又はアンホプロピオネート、アルキルアンホアジセテート又はアンホジプロピオネートである。
【０１５２】
例えば、ココジメチルスルホプロピルベタイン、ラウリルベタイン、ココアミドプロピルベタイン又はナトリウムココアンホプロピオネートを使用することが可能である。
【０１５３】
好適な非イオン界面活性剤の例は、脂肪族アルコール又はアルキル鎖中に６〜２０個の炭素原子を有する線状でも分枝状でもよいアルキルフェノールとエチレンオキシド及び／又はプロピレンオキシドとの反応生成物である。アルキレンオキシドの量は、アルコール１モル当り約６〜６０モルである。同様に好適なものは、アルキルアミンオキシド、モノ−若しくはジアルキルアルカノールアミド、ポリエチレングリコールの脂肪酸エステル、アルキルポリグリコシド又はソルビタンエーテルエステルである。
【０１５４】
さらに、シャンプー製剤は、慣用の陽イオン界面活性剤、例えば、四級アンモニウム化合物、例えばセチルトリメチルアンモニウムクロリドなどを含むことができる。
【０１５５】
シャンプー製剤において、一定の効果を達成するために、慣用のコンディショニング剤を本発明に係るポリマーと組み合わせて使用することができる。これらは、例えば、ＩＮＣＩ名称ポリクォーターニウムを有する陽イオンポリマー、特に、ビニルピロリドン／Ｎ−ビニルイミダゾリウム塩のコポリマー（Ｌｕｖｉｑｕａｔ（商標）  ＦＣ、Ｌｕｖｉｑｕａｔ（商標）  ＨＭ、Ｌｕｖｉｑｕａｔ（商標）  ＭＳ、Ｌｕｖｉｑｕａｔ（商標）  Ｃａｒｅ）、硫酸ジエチルで四級化したＮ−ビニルピロリドン／ジメチルアミノエチルメタクリレートのコポリマー（Ｌｕｖｉｑｕａｔ（商標）  ＰＱ  １１）、Ｎ−ビニルカプロラクタム／Ｎ−ビニルピロリドン／Ｎ−ビニルイミダゾリウム塩のコポリマー（Ｌｕｖｉｑｕａｔ（商標）  Ｈｏｌｄ）；陽イオンセルロース誘導体（ポリクォーターニウム−４及び−１０）、アクリルアミドコポリマー（ポリクォーターニウム−７）を包含する。タンパク質加水分解物、及びシリコーン化合物に基づくコンディショニング物質、例えばポリアルキルシロキサン、ポリアリールシロキサン、ポリアリールアルキルシロキサン、ポリエーテルシロキサン又はシリコーン樹脂を使用することも可能である。他の好適なシリコーン化合物は、ジメチコーンコポリオール（ＣＴＦＡ）及びアミノ官能性シリコーン化合物、例えばアモジメチコーン（ＣＴＦＡ）である。グア誘導体、例えばグアヒドロキシプロピルトリモニウム（ＩＮＣＩ）を使用することも可能である。
【実施例】
【０１５６】
製造例
全てのコポリマー（Ａ）及び（Ｂ）は溶液重合により下記のように製造した：
種々のモノマー（用いる全量の１０％）と１％のＷＡＫＯ  Ｖ５９（用いる全量の１３％）を含むエタノール溶液との、エタノール（ポリマーに応じて７０〜２５０ｇ）溶液を、窒素雰囲気中で８０℃に加熱した。この溶液に２つの異なる溶液を滴下した：１）開始剤を含む溶液［エタノール（１００ｇ）中のＷＡＫＯ  Ｖ５９  ０．９９ｇ］；２）選択したモノマーを選択した％量で含む溶液。開始剤溶液１）を４時間にわたり、モノマー溶液２）を３時間にわたり滴下した。反応温度を８０℃に保ち、そして両方の溶液を連続的に攪拌しながら窒素雰囲気中に保った。最後の添加の１時間後に、１００ｇのエタノール中の２．３１ｇのＷＡＫＯ  Ｖ５９の溶液を、反応条件を保持しながら１時間にわたり添加した。得られた反応混合物を（連続的に攪拌しながら窒素雰囲気中で）さらに４時間８０℃で放置した。表１に、種々のモノマー、そしてまた対応するポリマー中の該モノマーのモル％を示す。
【０１５７】
粘度の測定
各ポリマーの粘度を、Ｃｏｎｅ  ＣＰ−４１（３°）を備えたＷｅｌｌｓ−Ｂｒｏｏｋｆｉｅｌｄ  ＣＯＮＥ／ＰＬＡＴＥ粘度計により２３℃で測定した。このために、約２ｍｌのサンプルをサーモスタット付き測定本体に装入した（プレートを測定中に完全に湿潤させた）。粘度をｍＰａ＊ｓ単位で測定した。
【０１５８】
ここで、粘度をそれぞれの場合に３種の異なる条件下で測定した。
【０１５９】
Ｉ）      ４０％固形分のエタノール性溶液中
ＩＩ）    ａ）及びＭｉｇｌｙｏｌの５０：５０混合物中
ＩＩＩ）  ａ）及びＭｉｇｌｙｏｌ（＝８０）の２０：８０混合物中
対応する結果を表１に示す。
【表１】
2006513279.tif 000008
【０１６０】
Ｍｉｇｌｙｏｌそれ自体の粘度は２２ｍＰａｓである。
【０１６１】
表１中の全てのコポリマーは、溶液Ｉ及びＩＩ（Ｉ＝濃度４０重量％のエタノール溶液；ＩＩ＝Ｉ及びＭｉｇｌｙｏｌの５０：５０溶液）中で透明溶液として製造することができる。
【０１６２】
Ｍｉｇｌｙｏｌ  ８１２はカプリリック／カプリックトリグリセリドのＩＮＣＩ名称で知られている。
【０１６３】
本発明に係るコポリマー（Ａ）及びコポリマー（Ｂ）の混合物の製造
対応するコポリマー（Ａ）及び（Ｂ）を、以下のように種々の重量比で、室温で混合物として製造した。下記の混合物を製造した（コポリマー（Ａ）と（Ｂ）との重量比を表２に示す）。
【０１６４】
用いた略語
ｎＢＡ        ｎ−ブチルアクリレート
ＡＡ          アクリル酸
ＤＭＡＰＭＡ  Ｎ，Ｎ−ジメチルアミノプロピル（メタ）クリレート
ＳＭＡ        ステアリルメタクリレート
ＵＭＡ        ウレイドメタクリレート
【表２】
2006513279.tif 000009
【０１６５】
コポリマー（Ａ）及び（Ｂ）から種々の混合物を製造した。これらをＭｉｇｌｙｏｌと種々の重量比で混合し、そして粘度を上記のように測定した。表２に結果をまとめて示す。
【表３】
2006513279.tif 000010
【国際調査報告】
2006513279.tif 000016
2006513279.tif 000017
2006513279.tif 000018
2006513279.tif 000019